(57)【要約】【課題】座面または底面に振動溶着または超音波溶着による擦り傷がつきにくい便座の製造方法を提供する。【解決手段】座部２と、底部３と、を備えた便座１の製造方法である。座部２は、上面が座面２１となり、内周端部２２の下端面が座部内周溶着箇所２２１となり、外周端部２３の下端面が座部外周溶着箇所２３１となり、座部内突出部２５１および座部外突出部２５２を有する。底部３は、内周端部３１の上面に底部内周溶着箇所３１１を有し、外周端部３２の上面に底部外周溶着箇所３２１を有する。座部２は、溶着の際に座部押し治具５に装着されて底部３側に向けて押される。座部押し治具５は、座面２１と非接触部５３との間に間隙７が形成されるように押す。溶着が行われた後、座部内突出部２５１および座部外突出部２５２が除去される。【選択図】図５
2018082817.tif 000002
【特許請求の範囲】
【請求項１】
座部と、底部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となり、前記内周端部から内周側に突出する座部内突出部および、前記外周端部から外周側に突出する座部外突出部を有するものであり、
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものであり、
前記座部は、振動溶着または超音波溶着の際に座部押し治具に装着されて前記底部側に向けて押されるものであり、
前記座部押し治具は、前記座部の装着時に前記座部の前記座部内突出部に対応する部分に座部内突出部押し部を有するとともに前記座部外突出部に対応する部分に座部外突出部押し部を有しかつ前記座面に対応する部分に前記座面と間隔をあけて位置する非接触部を有して、前記座面と前記非接触部との間に間隙が形成されるように前記座部内突出部押し部により前記座部内突出部を押すとともに前記座部外突出部押し部により前記座部外突出部を押すものであり、
前記底部は、振動溶着または超音波溶着の際に底部押し治具に装着されて前記座部側に向けて押されるものであり、
前記座部押し治具に前記座部が装着されかつ前記底部押し治具に前記底部が装着されて、前記座部内周溶着箇所が前記底部内周溶着箇所に押し付けられるとともに、前記座部外周溶着箇所が前記底部外周溶着箇所に押し付けられた状態で振動溶着または超音波溶着が行われることにより、前記座部内周溶着箇所が前記底部内周溶着箇所に固定されるとともに、前記座部外周溶着箇所が前記底部外周溶着箇所に固定され、
前記座部内突出部および前記座部外突出部が除去される
ことを特徴とする便座の製造方法。
【請求項２】
座部と、底部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となり、前記内周端部から内周側に突出するかまたは前記外周端部から外周側に突出する座部突出部を有するものであり、
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものであり、
前記座部は、振動溶着または超音波溶着の際に座部押し治具に装着されて前記底部側に向けて押されるものであり、
前記座部押し治具は、前記座部の装着時に前記座部の前記座部突出部に対応する部分に座部突出部押し部を有するとともに、前記座面の前記内周側と前記外周側のうち前記座部突出部を有する側に対応する部分に前記座面と間隔をあけて位置する非接触部を有しかつ前記座部突出部を有しない側に対応する部分に座面押し部を有して、前記座部突出部を有する側の前記座面と前記非接触部との間に間隙が形成されるように前記座部突出部押し部により前記座部突出部を押すとともに、前記座面押し部により前記座部突出部を有しない側の前記座面を押すものであり、
前記底部は、振動溶着または超音波溶着の際に底部押し治具に装着されて前記座部側に向けて押されるものであり、
前記座部押し治具に前記座部が装着されかつ前記底部押し治具に前記底部が装着されて、前記座部内周溶着箇所が前記底部内周溶着箇所に押し付けられるとともに、前記座部外周溶着箇所が前記底部外周溶着箇所に押し付けられた状態で振動溶着または超音波溶着が行われることにより、前記座部内周溶着箇所が前記底部内周溶着箇所に固定されるとともに、前記座部外周溶着箇所が前記底部外周溶着箇所に固定され、
前記座部突出部が除去される
ことを特徴とする便座の製造方法。
【請求項３】
前記座部内突出部押し部、前記座部外突出部押し部、前記非接触部、前記座部突出部押し部または前記座面押し部が、前記座部押し治具の平面視における周方向の一部にのみ形成される
ことを特徴とする請求項１または２記載の便座の製造方法。
【請求項４】
座部と、底部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となるものであり、
前記底部は、平面視環状またはＵ字状をして、下面が前記便座の底面となり、内周端部の上面に、前記座部内周溶着箇所が溶着される底部内周溶着箇所を有し、外周端部の上面に、前記座部外周溶着箇所が溶着される底部外周溶着箇所を有し、前記内周端部から内周側に突出する底部内突出部および、前記外周端部から外周側に突出する底部外突出部を有するものであり、
前記座部は、振動溶着または超音波溶着の際に座部押し治具に装着されて前記底部側に向けて押されるものであり、
前記底部は、振動溶着または超音波溶着の際に底部押し治具に装着されて前記座部側に向けて押されるものであり、
前記底部押し治具は、前記底部の装着時に前記底部の前記底部内突出部に対応する部分に底部内突出部押し部を有するとともに前記底部外突出部に対応する部分に底部外突出部押し部を有しかつ前記底面に対応する部分に前記底面と間隔をあけて位置する非接触部を有して、前記底面と前記非接触部との間に間隙が形成されるように前記底部内突出部押し部により前記底部内突出部を押すとともに前記底部外突出部押し部により前記底部外突出部を押すものであり、
前記座部押し治具に前記座部が装着されかつ前記底部押し治具に前記底部が装着されて、前記座部内周溶着箇所が前記底部内周溶着箇所に押し付けられるとともに、前記座部外周溶着箇所が前記底部外周溶着箇所に押し付けられた状態で振動溶着または超音波溶着が行われることにより、前記座部内周溶着箇所が前記底部内周溶着箇所に固定されるとともに、前記座部外周溶着箇所が前記底部外周溶着箇所に固定され、
前記底部内突出部および前記底部外突出部が除去される
ことを特徴とする便座の製造方法。
【請求項５】
座部と、底部と、を備えた便座の製造方法であって、
前記座部は、平面視環状またはＵ字状をして、その周方向に垂直な断面において上方に凸となり、上面が座面となり、内周端部の下端面が前記底部に溶着される座部内周溶着箇所となり、外周端部の下端面が前記底部に溶着される座部外周溶着箇所となるものであり、
前記底部は、平面視環状またはＵ字状をして、下面が前記便座の底面となり、内周端部の上面に、前記座部内周溶着箇所が溶着される底部内周溶着箇所を有し、外周端部の上面に、前記座部外周溶着箇所が溶着される底部外周溶着箇所を有し、前記内周端部から内周側に突出するかまたは前記外周端部から外周側に突出する底部突出部を有するものであり、
前記座部は、振動溶着または超音波溶着の際に座部押し治具に装着されて前記底部側に向けて押されるものであり、
前記底部は、振動溶着または超音波溶着の際に底部押し治具に装着されて前記座部側に向けて押されるものであり、
前記底部押し治具は、前記底部の装着時に前記底部の前記底部突出部に対応する部分に底部突出部押し部を有するとともに、前記底面の前記内周側と前記外周側のうち前記底部突出部を有する側に対応する部分に前記底面と間隔をあけて位置する非接触部を有しかつ前記底部突出部を有しない側に対応する部分に底面押し部を有して、前記底部突出部を有する側の前記底面と前記非接触部との間に間隙が形成されるように前記底部突出部押し部により前記底部突出部を押すとともに、前記底面押し部により前記底部突出部を有しない側の前記底面を押すものであり、
前記座部押し治具に前記座部が装着されかつ前記底部押し治具に前記底部が装着されて、前記座部内周溶着箇所が前記底部内周溶着箇所に押し付けられるとともに、前記座部外周溶着箇所が前記底部外周溶着箇所に押し付けられた状態で振動溶着または超音波溶着が行われることにより、前記座部内周溶着箇所が前記底部内周溶着箇所に固定されるとともに、前記座部外周溶着箇所が前記底部外周溶着箇所に固定され、
前記底部突出部が除去される
ことを特徴とする便座の製造方法。
【請求項６】
前記底部内突出部押し部、前記底部外突出部押し部、前記非接触部、前記底部突出部押し部または前記底面押し部が、前記底部押し治具の平面視における周方向の一部にのみ形成される
ことを特徴とする請求項４または５記載の便座の製造方法。
【発明の詳細な説明】
【技術分野】
【０００１】
本発明は、便座の製造方法に関する。
【背景技術】
【０００２】
従来、座部と底部とが振動溶着または超音波溶着（単に溶着という）により固定される便座が知られている（例えば特許文献１参照）。
【０００３】
座部は、平面視環状またはＵ字状をして、その周方向に垂直な断面において上方に凸となり、上面が座面となる。
【０００４】
底部は、平面視環状またはＵ字状をして、下面が便座の底面となる。底部は、内周端部の上面に座部の内周端部の下端面が溶着により固定され、外周端部の上面に座部の外周端部の下端面が溶着により固定される。
【０００５】
座部は、溶着の際に座部押し治具に装着されて底部側に向けて押され、底部は、溶着の際に底部押し治具に装着されて座部側に向けて押される。
【先行技術文献】
【特許文献】
【０００６】
【特許文献１】特開平１０−１６５３３１号公報
【発明の概要】
【発明が解決しようとする課題】
【０００７】
溶着の際に、座部押し治具に装着されている座部の座面が座部押し治具と擦れたり、底部押し治具に装着されている底部の底面が底部押し治具と擦れたりして、擦り傷がつくおそれがあった。
【０００８】
本発明は上記従来の問題点に鑑みて発明したものであって、その目的とするところは、座面または底面に振動溶着または超音波溶着による擦り傷がつきにくい便座の製造方法を提供することにある。
【課題を解決するための手段】
【０００９】
上記課題を解決するために、本発明に係る第１の形態の便座の製造方法は、以下の通りである。
【００１０】
座部と、底部と、を備えた便座の製造方法である。
【００１１】
前記座部は、平面視環状またはＵ字状をして、その周方向に垂直な断面において上方に凸となるものである。前記座部は、上面が座面となり、内周端部の下端面が前記底部に溶着される座部内周溶着箇所となり、外周端部の下端面が前記底部に溶着される座部外周溶着箇所となるものである。前記座部は、前記内周端部から内周側に突出する座部内突出部および、前記外周端部から外周側に突出する座部外突出部を有するものである。
【００１２】
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものである。
【００１３】
前記座部は、振動溶着または超音波溶着の際に座部押し治具に装着されて前記底部側に向けて押されるものである。
【００１４】
前記座部押し治具は、前記座部の装着時に前記座部の前記座部内突出部に対応する部分に座部内突出部押し部を有するとともに前記座部外突出部に対応する部分に座部外突出部押し部を有するものである。前記座部押し治具は、前記座面に対応する部分に前記座面と間隔をあけて位置する非接触部を有するものである。前記座部押し治具は、前記座面と前記非接触部との間に間隙が形成されるように前記座部内突出部押し部により前記座部内突出部を押すとともに前記座部外突出部押し部により前記座部外突出部を押すものである。
【００１５】
前記底部は、振動溶着または超音波溶着の際に底部押し治具に装着されて前記座部側に向けて押されるものである。
【００１６】
前記座部押し治具に前記座部が装着されかつ前記底部押し治具に前記底部が装着される。前記座部内周溶着箇所が前記底部内周溶着箇所に押し付けられるとともに、前記座部外周溶着箇所が前記底部外周溶着箇所に押し付けられた状態で振動溶着または超音波溶着が行われる。前記座部内周溶着箇所が前記底部内周溶着箇所に固定されるとともに、前記座部外周溶着箇所が前記底部外周溶着箇所に固定される。
【００１７】
前記座部内突出部および前記座部外突出部が除去される。
【００１８】
また、上記課題を解決するために、本発明に係る第２の形態の便座の製造方法は、以下の通りである。
【００１９】
座部と、底部と、を備えた便座の製造方法である。
【００２０】
前記座部は、平面視環状またはＵ字状をして、その周方向に垂直な断面において上方に凸となるものである。前記座部は、上面が座面となり、内周端部の下端面が前記底部に溶着される座部内周溶着箇所となり、外周端部の下端面が前記底部に溶着される座部外周溶着箇所となるものである。前記座部は、前記内周端部から内周側に突出するかまたは前記外周端部から外周側に突出する座部突出部を有するものである。
【００２１】
前記底部は、平面視環状またはＵ字状をして、内周端部の上面に、前記座部内周溶着箇所が溶着される底部内周溶着箇所を有し、外周端部の上面に、前記座部外周溶着箇所が溶着される底部外周溶着箇所を有するものである。
【００２２】
前記座部は、振動溶着または超音波溶着の際に座部押し治具に装着されて前記底部側に向けて押されるものである。
【００２３】
前記座部押し治具は、前記座部の装着時に前記座部の前記座部突出部に対応する部分に座部突出部押し部を有するものである。前記座部押し治具は、前記座面の前記内周側と前記外周側のうち前記座部突出部を有する側に対応する部分に前記座面と間隔をあけて位置する非接触部を有するものである。前記座部押し治具は、前記座部突出部を有しない側に対応する部分に座面押し部を有するものである。前記座部押し治具は、前記座部突出部を有する側の前記座面と前記非接触部との間に間隙が形成されるように前記座部突出部押し部により前記座部突出部を押すとともに、前記座面押し部により前記座部突出部を有しない側の前記座面を押すものである。
【００２４】
前記底部は、振動溶着または超音波溶着の際に底部押し治具に装着されて前記座部側に向けて押されるものである。
【００２５】
前記座部押し治具に前記座部が装着されかつ前記底部押し治具に前記底部が装着される。前記座部内周溶着箇所が前記底部内周溶着箇所に押し付けられるとともに、前記座部外周溶着箇所が前記底部外周溶着箇所に押し付けられた状態で振動溶着または超音波溶着が行われる。前記座部内周溶着箇所が前記底部内周溶着箇所に固定されるとともに、前記座部外周溶着箇所が前記底部外周溶着箇所に固定される。
【００２６】
前記座部突出部が除去される。
【００２７】
また、上記課題を解決するために、本発明に係る第３の形態の便座の製造方法は、以下の通りである。
【００２８】
座部と、底部と、を備えた便座の製造方法である。
【００２９】
前記座部は、平面視環状またはＵ字状をして、その周方向に垂直な断面において上方に凸となるものである。前記座部は、上面が座面となり、内周端部の下端面が前記底部に溶着される座部内周溶着箇所となり、外周端部の下端面が前記底部に溶着される座部外周溶着箇所となるものである。
【００３０】
前記底部は、平面視環状またはＵ字状をして、下面が前記便座の底面となるものである。前記底部は、内周端部の上面に、前記座部内周溶着箇所が溶着される底部内周溶着箇所を有し、外周端部の上面に、前記座部外周溶着箇所が溶着される底部外周溶着箇所を有するものである。前記底部は、前記内周端部から内周側に突出する底部内突出部および、前記外周端部から外周側に突出する底部外突出部を有するものである。
【００３１】
前記座部は、振動溶着または超音波溶着の際に座部押し治具に装着されて前記底部側に向けて押されるものである。
【００３２】
前記底部は、振動溶着または超音波溶着の際に底部押し治具に装着されて前記座部側に向けて押されるものである。
【００３３】
前記底部押し治具は、前記底部の装着時に前記底部の前記底部内突出部に対応する部分に底部内突出部押し部を有するとともに前記底部外突出部に対応する部分に底部外突出部押し部を有するものである。前記底部押し治具は、前記底面に対応する部分に前記底面と間隔をあけて位置する非接触部を有するものである。前記底部押し治具は、前記底面と前記非接触部との間に間隙が形成されるように前記底部内突出部押し部により前記底部内突出部を押すとともに前記底部外突出部押し部により前記底部外突出部を押すものである。
【００３４】
前記座部押し治具に前記座部が装着されかつ前記底部押し治具に前記底部が装着される。前記座部内周溶着箇所が前記底部内周溶着箇所に押し付けられるとともに、前記座部外周溶着箇所が前記底部外周溶着箇所に押し付けられた状態で振動溶着または超音波溶着が行われる。前記座部内周溶着箇所が前記底部内周溶着箇所に固定されるとともに、前記座部外周溶着箇所が前記底部外周溶着箇所に固定される。
【００３５】
前記底部内突出部および前記底部外突出部が除去される。
【００３６】
また、上記課題を解決するために、本発明に係る第４の形態の便座の製造方法は、以下の通りである。
【００３７】
前記座部は、平面視環状またはＵ字状をして、その周方向に垂直な断面において上方に凸となるものである。前記座部は、上面が座面となり、内周端部の下端面が前記底部に溶着される座部内周溶着箇所となり、外周端部の下端面が前記底部に溶着される座部外周溶着箇所となるものである。
【００３８】
前記底部は、平面視環状またはＵ字状をして、下面が前記便座の底面となるものである。前記底部は、内周端部の上面に、前記座部内周溶着箇所が溶着される底部内周溶着箇所を有し、外周端部の上面に、前記座部外周溶着箇所が溶着される底部外周溶着箇所を有するものである。前記底部は、前記内周端部から内周側に突出するかまたは前記外周端部から外周側に突出する底部突出部を有するものである。
【００３９】
前記座部は、振動溶着または超音波溶着の際に座部押し治具に装着されて前記底部側に向けて押されるものである。
【００４０】
前記底部は、振動溶着または超音波溶着の際に底部押し治具に装着されて前記座部側に向けて押されるものである。
【００４１】
前記底部押し治具は、前記底部の装着時に前記底部の前記底部突出部に対応する部分に底部突出部押し部を有するものである。前記底部押し治具は、前記底面の前記内周側と前記外周側のうち前記底部突出部を有する側に対応する部分に前記底面と間隔をあけて位置する非接触部を有すものである。前記底部押し治具は、前記底部突出部を有しない側に対応する部分に底面押し部を有すものである。前記底部押し治具は、前記底部突出部を有する側の前記底面と前記非接触部との間に間隙が形成されるように前記底部突出部押し部により前記底部突出部を押すとともに、前記底面押し部により前記底部突出部を有しない側の前記底面を押すものである。
【００４２】
前記座部押し治具に前記座部が装着されかつ前記底部押し治具に前記底部が装着される。前記座部内周溶着箇所が前記底部内周溶着箇所に押し付けられるとともに、前記座部外周溶着箇所が前記底部外周溶着箇所に押し付けられた状態で振動溶着または超音波溶着が行われる。前記座部内周溶着箇所が前記底部内周溶着箇所に固定されるとともに、前記座部外周溶着箇所が前記底部外周溶着箇所に固定される。
【００４３】
前記底部突出部が除去される。
【発明の効果】
【００４４】
本発明に係る第１の形態の便座にあっては、便座の座面に座部押し治具との擦り傷が形成されることが抑えられる。
【００４５】
本発明に係る第２の形態の便座にあっては、便座の座面の内周側または外周側の部分に座部押し治具との擦り傷が形成されることが抑えられる。
【００４６】
本発明に係る第３の形態の便座にあっては、便座の底面に底部押し治具との擦り傷が形成されることが抑えられる。
【００４７】
本発明に係る第４の形態の便座にあっては、便座の底面の内周側または外周側の部分に底部押し治具との擦り傷が形成されることが抑えられる。
【図面の簡単な説明】
【００４８】
【図１】図１は、本発明の第一実施形態に係る便座の製造方法において製造された便座の斜め上方より見た分解斜視図である。
【図２】図２は、同上の便座の斜め下方より見た分解斜視図である。
【図３】図３は、同上の便座を周方向に垂直に切断したときの要部正面図である。
【図４】図４は、同上の製造過程において用いられる座部押し治具に座部が装着され、支持部が装着される前の状態の説明図である。
【図５】図５は、同上の製造過程において座部押し治具に座部および支持部が装着され、底部押し治具に底部が装着されて、座部および支持部が底部に押し付けられる前の状態の説明図である。
【図６】図６Ａは、同上の座部押し治具の下面図であり、図６Ｂは、図６ＡのＡ−Ａ線断面図である。
【図７】図７Ａは、同上の底部押し治具の平面図であり、図７Ｂは、図７ＡのＢ−Ｂ線断面図である。
【図８】図８は、製造過程において、底部が座部および支持部に押し付けられた状態の説明図である。
【図９】図９は、製造過程において、溶着が行われた後、底部の底部内突出部および底部外突出部、座部の座部内突出部および座部外突出部が切除される直前の状態の説明図である。
【図１０】図１０は、第二実施形態に係る便座の製造方法において座部押し治具に座部および支持部が装着され、底部押し治具に底部が装着されて、座部および支持部が底部に押し付けられる前の状態の説明図である。
【図１１】図１１は、第三実施形態に係る便座の製造方法において座部押し治具に座部および支持部が装着され、底部押し治具に底部が装着されて、座部および支持部が底部に押し付けられる前の状態の説明図である。
【図１２】図１２は、第四実施形態に係る便座の製造方法において座部押し治具に座部および支持部が装着され、底部押し治具に底部が装着されて、座部および支持部が底部に押し付けられる前の状態の説明図である。
【図１３】図１３Ａは、同上の座部押し治具の下面図であり、図１３Ｂは、図１３ＡのＣ−Ｃ線断面図である。
【図１４】図１４Ａは、同上の底部押し治具の平面図であり、図１４Ｂは、図１４ＡのＤ−Ｄ線断面図である。
【図１５】図１５は、第五実施形態に係る便座の製造方法において座部押し治具に座部および支持部が装着され、底部押し治具に底部が装着されて、座部および支持部が底部に押し付けられる前の状態の説明図である。
【図１６】図１６は、第六実施形態に係る便座の製造方法において座部押し治具に座部および支持部が装着され、底部押し治具に底部が装着されて、座部および支持部が底部に押し付けられる前の状態の説明図である。
【発明を実施するための形態】
【００４９】
以下、本発明に係る便座の製造方法の第一実施形態について、図１〜図９に基いて説明する。
【００５０】
製造された完成品としての便座１は、図１、図２に示すように平面視環状をしたもので、図３に示すように座部２と、底部３と、座部２と底部３とで囲まれる内部空間１０に設けられる支持部４と、を備える。
【００５１】
なお、以下の説明における上下は、便座１の使用状態における上下として定義する。また、前後は、図１に示すように、便座１の使用状態での使用者の向きにおける前後として定義する。図１は、完成品の便座１を斜め上方より見た、座部２と底部３と支持部４とを溶着跡で分断した分解斜視図である。図２は、完成品の便座１を斜め下方より見た、座部２と底部３と支持部４とを溶着跡で分断した分解斜視図である。
【００５２】
また、環状をした便座１の外周に沿う方向を周方向とするとともに、便座１をなす環の径方向中心側を内周側とし、径方向における中心側と反対側を外周側とする。図３は、便座１を周方向に垂直な断面（前後に垂直な断面）で切断したときの正面図である。
【００５３】
完成品における座部２は、図１、図２に示すように平面視環状をしたもので、図３に示すように、その周方向に垂直な断面において上方に凸となり、上面が座面２１となり、下面が裏面２４となる。座部２は、樹脂により形成される。また、第一実施形態では、座部２の下面にヒータ１６が設けられ、ヒータ１６の露出面が裏面２４となる。なお、ヒータ１６は設けられなくてもよく、この場合には座部２を構成する樹脂の下側の表面が裏面２４となる。
【００５４】
第一実施形態では、座部２は、外方に露出する面が全体的に上方に凸となるとともに、この面と反対側の面が全体的に上方に凹となる形状をしており、この凹となる内部に空所が形成され、この空所が内部空間１０を構成する。座部２の内周端部２２および外周端部２３は、下方に向けて伸びている。座面２１の内外方向中央部は、内周側から外周側にかけて上り勾配となる直線状の傾斜を有している。座部２は、ＰＰ（ポリプロピレン）、ＡＢＳ（アクリロニトリルブタジエンスチレン）等の樹脂により形成されている。
【００５５】
完成品における底部３は、図１、図２に示すように平面視環状をしたもので、その底面３０（下面）が便座１の底面となる。底部３は、樹脂により形成される。この底部３は、図３に示すように、内周端部３１の上面に、座部２の内周端部２２の下端面が溶着跡１１を介して一体に連続するとともに、外周端部３２の上面に、座部２の外周端部２３の下端面が溶着跡１２を介して一体に連続する。
【００５６】
第一実施形態では、底部３は、外方に露出する面が全体的に下方に凸となるとともに、この面と反対側の面が全体的に上方に凹となる形状をしており、この凹となる内部に空所が形成され、この空所が内部空間１０を構成する。すなわち、座部２内の空所と底部３内の空所により便座１の内部空間１０が構成される。また、底部３の一部に上方に凸となる部分があるが、構わない。底部３の内周端部３１は、上方に向けて伸びており、この上端面に、座部２の内周端部２２の下端面が溶着跡１１を介して一体に連続している。また、底部３の外周端部３２は、上方に向けて伸びており、この上端面に、座部２の外周端部２３の下端面が溶着跡１２を介して一体に連続している。底部３は、座部２と同じＰＰ（ポリプロピレン）、ＡＢＳ（アクリロニトリルブタジエンスチレン）等の樹脂により形成されている。
【００５７】
完成品における支持部４は、図１、図２に示すように平面視環状をしたもので、図３に示すように、その周方向に垂直な断面において上方に凸となるもので、座部２内の空所に収納される。支持部４の座部２側を向く面は、座部２の内周端部２２と外周端部２３との間の裏面２４から所定の間隔１３０をあけて位置する支持面４１となる。支持部４は、樹脂により形成される。なお、所定の間隔１３０は例えば５〜１０ｍｍであるが、特にこの数値に限定されない。
【００５８】
第一実施形態では、支持部４は、支持面４１が全体的に上方に凸となるとともに、支持面４１と反対側の面が全体的に上方に凹となる形状をしている。図３に示すように、支持部４の内周端部４２および外周端部４３は、下方に向けて伸びている。
【００５９】
支持部４の支持面４１の内外方向中央部は、内周側から外周側にかけて上り勾配となる直線状の傾斜を有している。この上り勾配は、座部２の裏面２４の内外方向中央部の上り勾配と同じに形成されている。また、前記上り勾配以外の部分の支持面４１と裏面２４との間に所定の間隔１３０があいており、支持面４１と座部２の裏面２４との間は全体にわたって所定の間隔１３０（特に一定の間隔）を有する座部下空間１３が形成されている。これにより、座部２に使用者の体重がかかったときに、座部２がたわむことができる。また、座部２が大きくたわんだときには、支持面４１に受けられる。支持部４は、座部２および底部３と同じＰＰ（ポリプロピレン）、ＡＢＳ（アクリロニトリルブタジエンスチレン）等の樹脂により形成されている。
【００６０】
支持部４は、内周端部４２の下端面が、座部２の内周端部２２の下端面の外周側に隣接して、底部３の内周端部３１の上面に溶着跡１４を介して一体に連続する。また支持部４は、外周端部４３の下端面が、座部２の外周端部２３の下端面の内周側に隣接して、底部３の外周端部３２の上面に溶着跡１５を介して一体に連続する。溶着跡は、樹脂が振動溶着または超音波溶着（以下、単に溶着という）により一旦溶融した後、冷却されて固化したものである。溶着跡は、溶融していない部分と一体となって連続しており、溶着跡と溶融していない部分との区別がつかなくてもよい。
【００６１】
支持部４は、支持面４１と座部２の裏面２４との間に所定の間隔１３０をあけるスペーサとして、支持部内突出部４４と、支持部外突出部４５と、を有する。支持部内突出部４４は、支持部４の内周端部４２から内周側に一体に設けられて支持面４１よりも内周側に突出する。支持部外突出部４５は、支持部４の外周端部４３から外周側に一体に設けられて支持面４１よりも外周側に突出する。
【００６２】
支持部内突出部４４および支持部外突出部４５は、支持部４の周方向の全長にわたって設けられる。支持部内突出部４４の下端面は、内周端部４２の下端面と一体となって連続しており、内周端部４２の下端面とともに底部３の内周端部３１の上面に溶着跡１４を介して一体に連続している。支持部外突出部４５の下端面も、外周端部４３の下端面と一体となって連続しており、外周端部４３の下端面とともに底部３の外周端部３２の上面に溶着跡１５を介して一体に連続している。以下、支持部４の内周端部４２の下端面という場合には、支持部内突出部４４の下端面も含むものとし、支持部４の外周端部４３の下端面という場合には、支持部外突出部４５の下端面も含むものとする。
【００６３】
便座１の製造方法について説明する。便座１は、それぞれ樹脂により形成された座部２と底部３と支持部４とが溶着により一体に溶着されることにより、形成される。第一実施形態では、図４に示すように、座部２、底部３および支持部４は、上下が使用状態と反転した状態で、溶着が行われる。
【００６４】
座部２は、溶着が行われる前においては、内周端部２２から内周側に突出する座部内突出部２５１と、外周端部２３から外周側に突出する座部外突出部２５２と、を有している。
【００６５】
溶着では、図５に示すように、座部押し治具５と底部押し治具６とが用いられる。
【００６６】
座部押し治具５は、溶着の際に座部２が装着されて座部２を底部３側に向けて押すものである。座部押し治具５は、図６Ａ、図６Ｂに示すように、座部内突出部押し部５１１、座部外突出部押し部５１２および非接触部５３を有する。
【００６７】
非接触部５３は、図６Ａに示すように、座部２が装着された時に座面２１（図４参照）に対応する部分に座面２１と間隔をあけて、すなわち座面２１と接触しないように位置するように設けられる。この非接触部５３と座面２１の間隔は例えば５〜１０ｍｍであるが、特にこの数値に限定されない。第一実施形態では、非接触部５３は、平面視環状をしており、図６Ｂに示すように、概ね座面２１に沿った凹形状を有している。
【００６８】
座部内突出部押し部５１１は、図６Ａに示すように、座部内突出部２５１（図４参照）に対応する部分に設けられて平面視環状をしている。座部内突出部押し部５１１は、第一実施形態では、図６Ｂに示すように、座部内突出部２５１の内周側の端面が接触する押し面５１１１および、座部内突出部２５１の座面２１側の端面が接触する押し面５１１２を有する切欠により構成される。
【００６９】
座部外突出部押し部５１２は、図６Ａに示すように、座部外突出部２５２（図４参照）に対応する部分に設けられて、平面視略環状をしている。座部外突出部押し部５１２は、第一実施形態では、図６Ｂに示すように、座部外突出部押し部５１２は、座部外突出部２５２の外周側の端面が接触する押し面５１２１および、座部外突出部２５２の座面２１側の端面が接触する押し面５１２２を有する切欠により構成される。
【００７０】
図４に示すように、座部内突出部押し部５１１は、座部２が特に変形しない状態で、その押し面５１１１、５１１２に、座部２の座部内突出部２５１が接触する寸法関係で形成される。同様に、座部外突出部押し部５１２は、座部２が特に変形しない状態で、その押し面５１２１、５１２２に、座部外突出部２５２が接触する寸法関係で形成される。
【００７１】
非接触部５３は、座部内突出部２５１と座部外突出部２５２とが押し面５１１１、５１１２、５１２１、５１２２に接触する状態で、座面２１との間に間隙７（図４参照）が形成される寸法関係で形成される。
【００７２】
座部２の座部内突出部２５１と座部外突出部２５２とが押し面５１１１、５１１２、５１２１、５１２２に接触する状態で、座部押し治具５は、座部２を底部３側に向けて押すことができる。
【００７３】
底部押し治具６は、溶着の際に底部３が装着されて底部３を座部２側に向けて押すものである。底部押し治具６は、図７Ａ、図７Ｂに示すように、底部３の底面３０に沿う平面視環状をした凹所を有する。この凹所の内面が、底部３の底面３０に接触する底面押し部６２となる。
【００７４】
溶着を行うには、まず、図４に示すように、座部押し治具５に座部２が装着される。すなわち、座部２の座部内突出部２５１と座部外突出部２５２とがそれぞれ座部内突出部押し部５１１と座部外突出部押し部５１２の押し面に接触する状態とされる。なお、本開示における「下端面」、「上端面」、「下面」および「上面」は、図３に示す便座１の使用状態における上下を基準としたもので、図４、図５、図８、図９に示す製造時においては「下端面」および「下面」が上方を向き、「上端面」および「上面」が下方を向く。
【００７５】
座部２は、図４に示すように、内周端部２２の下端面が、底部３の内周端部３１の上面に溶着される座部内周溶着箇所２２１となり、外周端部２３の下端面が、底部３の外周端部３２の上面に溶着される座部外周溶着箇所２３１となる。また、座部内突出部２５１の下面も座部内周溶着箇所２２１となり、座部外突出部２５２の下面も座部外周溶着箇所２３１となる。
【００７６】
次に、座部２の空所内に、支持部４が挿入される。支持部４は、内周端部４２の下端面が、底部３の内周端部３１の上面に溶着される支持部内周溶着箇所４２１となり、外周端部４３の下端面が、底部３の外周端部３２の上面に溶着される支持部外周溶着箇所４３１となる。
【００７７】
座部２内に挿入された支持部４は、支持面４１が底面３０と対向し、支持部内周溶着箇所４２１が座部内周溶着箇所２２１の外周側に隣接し、支持部外周溶着箇所４３１が座部外周溶着箇所２３１の内周側に隣接する。
【００７８】
次に、図５に示すように、底部押し治具６に底部３が装着される。すなわち、底部３の底面３０が底面押し部６２に接触する状態とされる。
【００７９】
底部３は、内周端部３１の上面に、座部内周溶着箇所２２１および支持部内周溶着箇所４２１が溶着される底部内周溶着箇所３１１を有する。また底部３は、外周端部３２の上面に、座部外周溶着箇所２３１および支持部外周溶着箇所４３１が溶着される底部外周溶着箇所３２１を有する。
【００８０】
その後、図８に示すように、支持部内周溶着箇所４２１および座部内周溶着箇所２２１が、底部内周溶着箇所３１１に押し付けられるとともに、支持部外周溶着箇所４３１および座部外周溶着箇所２３１が底部外周溶着箇所３２１に押し付けられる。ここで、第一実施形態では、図４に示すように、座部内周溶着箇所２２１となる座部２の内周端部２２の下端面が、内周側ほど低くなるように傾斜しており、座部外周溶着箇所２３１となる座部２の外周端部２３の下端面が、外周側ほど低くなるように傾斜している。さらに、支持部内周溶着箇所４２１となる支持部４の内周端部４２の下端面が、内周側ほど高くなるように傾斜しており、支持部外周溶着箇所４３１となる支持部４の外周端部４３の下端面が、外周側ほど高くなるように傾斜している。
【００８１】
このため、支持部内周溶着箇所４２１および座部内周溶着箇所２２１が底部３に押し付けられると、支持部４の内周端部４２の側面と座部２の内周端部２２の側面とが接触して密着する（圧接される）。また、支持部外周溶着箇所４３１および座部外周溶着箇所２３１が底部３に押し付けられると、支持部４の外周端部４３の側面と座部２の外周端部２３の側面とが接触して密着する（圧接される）。
【００８２】
この状態で、底部３が座部２および支持部４に対して振動して、溶着が行われる。溶着が行われることにより、支持部内周溶着箇所４２１および座部内周溶着箇所２２１が底部内周溶着箇所３１１に固定されるとともに、支持部外周溶着箇所４３１および座部外周溶着箇所２３１が底部外周溶着箇所３２１に固定される。そして、図９に示すように、座部２、底部３および支持部４が一体となった成形体が形成される。
【００８３】
第一実施形態では、図９の破線に示す部分において切断され、座部２の座部内突出部２５１および座部外突出部２５２が除去されて、便座１の完成品が形成される。
【００８４】
上述した第一実施形態の便座１の製造方法にあっては、溶着の際に、座部押し治具５により座面２１が押されない。このため、座部押し治具５に座面２１が押されて溶着が行われることにより、完成品としての便座１の座面２１に、座部押し治具５との擦り傷が形成されることが抑えられる。
【００８５】
座面２１に擦り傷が形成されるのが抑えられることにより、座面２１の撥水性の確保がしやすくなる。すなわち、座部２が撥水性を有する（例えば水との接触角が９０度以上）樹脂で形成されていても、座面２１の擦り傷が形成された部分の撥水性が損なわれてしまう。この点、第一実施形態では、擦り傷が形成されることによる座面２１の撥水性の低下が抑えられる。
【００８６】
次に、第二実施形態の便座１の製造方法について、図１０に基いて説明する。なお、第二実施形態の便座１の製造方法は、第一実施形態の便座１の製造方法と大部分において同じである。このため、第一実施形態と重複する説明については、同符号を付して説明を省略する。
【００８７】
第一実施形態では、座部２が座部内突出部２５１および座部外突出部２５２を有するものであった。これに対して、第二実施形態では、座部２が、内周端部２２から内周側に突出する座部突出部２５を有する。座部突出部２５は、すなわち座部内突出部２５１であり、第一実施形態における座部内突出部２５１と相違ないため説明を省略する。
【００８８】
第二実施形態では、座部２は座部外突出部２５２を有しない。
【００８９】
また、第二実施形態では、座部押し治具５が第一実施形態の座部押し治具５と相違する。
【００９０】
第二実施形態の座部押し治具５は、座部２の装着時に座部２の座部突出部２５（座部内突出部２５１）に対応する部分に座部突出部押し部５１を有する。座部突出部押し部５１は、すなわち座部内突出部押し部５１１であり、第一実施形態における座部内突出部押し部５１１と相違ないため説明を省略する。
【００９１】
また、第二実施形態の座部押し治具５も、第一実施形態の座部押し治具５と同様に、座面２１と間隔をあけて位置する非接触部５３を有する。ただし、第二実施形態の非接触部５３は、座面２１の座部内突出部２５１を有する内周側にのみ形成される内非接触部５３１である。この点、第一実施形態における非接触部５３は、座面２１全体に形成されるものであり、第二実施形態の非接触部５３（内非接触部５３１）と相違する。
【００９２】
また、第二実施形態の座部押し治具５は、座部内突出部２５１を有しない外周側に、座面押し部５２を有する。座面押し部５２は、座面２１の外周側を押す外座面押し部５２１であり、座面２１と接触しない内非接触部５３１に隣接して、座面２１と接触する接触部となる。
【００９３】
溶着を行うには、座部押し治具５に座部２が装着される。座部押し治具５にあっては、座部内突出部押し部５１１により座部内突出部２５１を押すとともに、外座面押し部５２１により外周側の座面２１を押す。これにより、座部内突出部２５１を有する側の座面２１と内非接触部５３１との間に間隙７が形成される。
【００９４】
以降は、第一実施形態と同様に、座部２の空所内に支持部４が挿入され、底部押し治具６に底部３が装着され、溶着が行われる。これにより、座部２、底部３および支持部４が一体となった成形体が形成された後、座部内突出部２５１が除去されて、便座１の完成品が形成される。
【００９５】
第二実施形態の便座１の製造方法にあっては、溶着の際に、座部押し治具５により座面２１の内周側が押されない。完成品としての便座１の座面２１の内周側の部分に、座部押し治具５との擦り傷が形成されることが抑えられる。
【００９６】
第二実施形態では、座面２１の内周側の部分に擦り傷が形成されにくくして、この部分の撥水性の低下を抑える場合に有効である。
【００９７】
次に、第三実施形態の便座１の製造方法について、図１１に基いて説明する。なお、第三実施形態の便座１の製造方法は、第一実施形態の便座１の製造方法と大部分において同じである。このため、第一実施形態と重複する説明については、同符号を付して説明を省略する。
【００９８】
第一実施形態では、座部２が座部内突出部２５１および座部外突出部２５２を有するものであった。これに対して、第三実施形態では、座部２が、外周端部２３から外周側に突出する座部突出部２５を有する。座部突出部２５は、すなわち座部外突出部２５２であり、第一実施形態における座部外突出部２５２と相違ないため説明を省略する。
【００９９】
第三実施形態では、座部２は座部内突出部２５１を有しない。
【０１００】
また、第三実施形態では、座部押し治具５が第一実施形態の座部押し治具５と相違する。
【０１０１】
第三実施形態の座部押し治具５は、座部２の装着時に座部２の座部突出部２５（座部外突出部２５２）に対応する部分に座部突出部押し部５１を有する。座部突出部押し部５１は、すなわち座部外突出部押し部５１２であり、第一実施形態における座部外突出部押し部５１２と相違ないため説明を省略する。
【０１０２】
また、第三実施形態の座部押し治具５も、第一実施形態の座部押し治具５と同様に、座面２１と間隔をあけて位置する非接触部５３を有する。ただし、第三実施形態の非接触部５３は、座面２１の座部外突出部２５２を有する外周側にのみ形成される外非接触部５３２である。この点、第一実施形態における非接触部５３は、座面２１全体に形成されるものであり、第三実施形態の非接触部５３（外非接触部５３２）と相違する。
【０１０３】
また、第三実施形態の座部押し治具５は、座部外突出部２５２を有しない内周側に、座面押し部５２を有する。座面押し部５２は、座面２１の内周側を押す内座面押し部５２２であり、座面２１と接触しない外非接触部５３２に隣接して、座面２１と接触する接触部となる。
【０１０４】
溶着を行うには、座部押し治具５に座部２が装着される。座部押し治具５にあっては、座部外突出部押し部５１２により座部外突出部２５２を押すとともに、内座面押し部５２２により座部外突出部２５２を有しない側の座面２１を押す。これにより、座部外突出部２５２を有する側の座面２１と外非接触部５３２との間に間隙７が形成される。
【０１０５】
以降は、第一実施形態と同様に、座部２の空所内に支持部４が挿入され、底部押し治具６に底部３が装着され、溶着が行われる。これにより、座部２、底部３および支持部４が一体となった成形体が形成された後、座部外突出部２５２が除去されて、便座１の完成品が形成される。
【０１０６】
第三実施形態の便座１の製造方法にあっては、溶着の際に、座部押し治具５により座面２１の外周側が押されない。完成品としての便座１の座面２１の外周側の部分に、座部押し治具５との擦り傷が形成されることが抑えられる。
【０１０７】
第三実施形態では、座面２１の外周側の部分に擦り傷が形成されにくくして、この部分の撥水性の低下を抑える場合に有効である。
【０１０８】
次に、第四実施形態の便座１の製造方法について、図１２、図１３Ａ、図１３Ｂ、図１４Ａ、図１４Ｂに基いて説明する。なお、第四実施形態の便座１の製造方法は、第一実施形態の便座１の製造方法と大部分において同じである。このため、第一実施形態と重複する説明については、同符号を付して説明を省略する。
【０１０９】
第一実施形態では、座部２が座部内突出部２５１および座部外突出部２５２を有するものであった。これに対して、第四実施形態では、図１２に示すように、座部２が座部内突出部２５１および座部外突出部２５２を有していない。かわりに、底部３が底部内突出部３３１および底部外突出部３３２を有している。底部内突出部３３１は、底部３の内周端部３１から内周側に突出する。底部外突出部３３２は、底部３の外周端部３２から外周側に突出する。
【０１１０】
そして、底部内突出部３３１の下面も底部内周溶着箇所３１１となり、底部外突出部３３２の下面も底部外周溶着箇所３２１となる。
【０１１１】
また、第四実施形態では、座部押し治具５が第一実施形態の座部押し治具５と相違する。
【０１１２】
座部押し治具５は、図１３Ａ、図１３Ｂに示すように、座部２の座面２１に沿う平面視環状をした凹所を有する。この凹所の内面が、座部２の座面２１全体に接触する座面押し部５２となる。
【０１１３】
また、第四実施形態では、底部押し治具６が第一実施形態の底部押し治具６と相違する。
【０１１４】
底部押し治具６は、図１４Ａ、図１４Ｂに示すように、底部内突出部押し部６１１、底部外突出部押し部６１２および非接触部６３を有する。
【０１１５】
非接触部６３は、底部３が装着された時に底面３０（図１２参照）に対応する部分に底面３０と間隔をあけて、すなわち底面３０と接触しないように位置するように設けられる。第四実施形態では、非接触部６３は、平面視環状をしており、図１４Ｂに示すように、概ね底面３０に沿った凹形状を有している。
【０１１６】
底部内突出部押し部６１１は、図１４Ａに示すように、底部内突出部３３１（図１２参照）に対応する部分に設けられて平面視環状をしている。底部内突出部押し部６１１は、図１４Ｂに示すように、底部内突出部３３１の内周側の端面が接触する押し面６１１１および、底部内突出部３３１の底面３０側の端面が接触する押し面６１１２を有する切欠により構成される。
【０１１７】
底部外突出部押し部６１２は、図１４Ａに示すように、底部外突出部３３２に対応する部分に設けられて、平面視略環状をしている。底部外突出部押し部６１２は、図１４Ｂに示すように、底部外突出部３３２の外周側の端面が接触する押し面６１２１および、底部外突出部３３２の底面３０側の端面が接触する押し面６１２２を有する切欠により構成される。
【０１１８】
図１２に示すように、底部内突出部押し部６１１は、底部３が特に変形しない状態で、その押し面６１１１、６１１２に、底部３の底部内突出部３３１が接触する寸法関係で形成される。同様に、底部外突出部押し部６１２は、底部３が特に変形しない状態で、その押し面６１２１、６１２２に、底部外突出部３３２が接触する寸法関係で形成される。
【０１１９】
非接触部６３は、底部内突出部３３１と底部外突出部３３２とが押し面６１１１、６１１２、６１２１、６１２２に接触する状態で、底面３０との間に間隙７が形成される寸法関係で形成される。
【０１２０】
底部３の底部内突出部３３１と底部外突出部３３２とが押し面６１１１、６１１２、６１２１、６１２２に接触する状態で、底部押し治具６は、底部３を底部３側に向けて押すことができる。
【０１２１】
溶着を行うには、底部押し治具６に底部３が装着される。底部押し治具６にあっては、底部内突出部押し部６１１により底部内突出部３３１を押すとともに、底部外突出部押し部６１２により底部外突出部３３２を押す。
【０１２２】
そして、第一実施形態と同様に、座部２の空所内に支持部４が挿入され、底部押し治具６に底部３が装着され、溶着が行われる。これにより、座部２、底部３および支持部４が一体となった成形体が形成された後、底部３の底部内突出部３３１および底部外突出部３３２が除去されて、便座１の完成品が形成される。
【０１２３】
第四実施形態の便座１の製造方法にあっては、溶着の際に、底部押し治具６により底面３０が押されない。完成品としての便座１の底面３０に、底部押し治具６との擦り傷が形成されることが抑えられる。
【０１２４】
第四実施形態では、底面３０に擦り傷が形成されにくくして、この部分の撥水性の低下を抑える場合に有効である。
【０１２５】
第四実施形態の便座１の製造方法は、第一実施形態〜第三実施形態の便座１の製造方法のいずれかと組み合わせることができる。すなわち、第四実施形態における底部押し治具６と、第一実施形態〜第三実施形態における座部押し治具５とを組み合わせて溶着を行うことができる。このとき、座部２は、溶着前に、第一実施形態〜第三実施形態のいずれかにおける座部押し治具５に対応する座部突出部２５（座部内突出部２５１、座部外突出部２５２）を有する。
【０１２６】
次に、第五実施形態の便座１の製造方法について、図１５に基いて説明する。なお、第五実施形態の便座１の製造方法は、第四実施形態の便座１の製造方法と大部分において同じである。このため、第四実施形態と重複する説明については、同符号を付して説明を省略する。
【０１２７】
第四実施形態では、底部３が底部内突出部３３１および底部外突出部３３２を有するものであった。これに対して、第五実施形態では、底部３が、内周端部３１から内周側に突出する底部突出部３３を有する。底部突出部３３は、すなわち底部内突出部３３１であり、第四実施形態における底部内突出部３３１と相違ないため説明を省略する。
【０１２８】
第五実施形態では、底部３は底部外突出部３３２を有しない。
【０１２９】
また、第五実施形態では、底部押し治具６が第四実施形態の底部押し治具６と相違する。
【０１３０】
第五実施形態の底部押し治具６は、底部３の装着時に底部３の底部突出部３３（底部内突出部３３１）に対応する部分に底部突出部押し部６１を有する。底部突出部押し部６１は、すなわち底部内突出部押し部６１１であり、第四実施形態における底部内突出部押し部６１１と相違ないため説明を省略する。
【０１３１】
また、第五実施形態の底部押し治具６も、第四実施形態の底部押し治具６と同様に、底面３０と間隔をあけて位置する非接触部６３を有する。ただし、第五実施形態の非接触部６３は、底面３０の底部内突出部３３１を有する内周側にのみ形成される内非接触部６３１である。この点、第四実施形態における非接触部６３は、底面３０全体に形成されるものであり、第五実施形態の非接触部６３（内非接触部６３１）と相違する。
【０１３２】
また、第五実施形態の底部押し治具６は、底部内突出部３３１を有しない外周側に、底面押し部６２を有する。底面押し部６２は、底面３０の外周側を押す外底面押し部６２１であり、底面３０と接触しない内非接触部６３１に隣接して、底面３０と接触する接触部となる。
【０１３３】
溶着を行うには、底部押し治具６に底部３が装着される。底部押し治具６にあっては、底部内突出部押し部６１１により底部内突出部３３１を押すとともに、外底面押し部６２１により底部内突出部３３１を有しない側の底面３０を押す。これにより、底部内突出部３３１を有する側の底面３０と内非接触部６３１との間に間隙７が形成される。
【０１３４】
以降は、第四実施形態と同様に、座部２の空所内に支持部４が挿入され、底部押し治具６に底部３が装着され、溶着が行われる。これにより、座部２、底部３および支持部４が一体となった成形体が形成された後、底部内突出部３３１が除去されて、便座１の完成品が形成される。
【０１３５】
第五実施形態の便座１の製造方法にあっては、溶着の際に、底部押し治具６により底面３０の内周側が押されない。完成品としての便座１の底面３０の内周側の部分に、底部押し治具６との擦り傷が形成されることが抑えられる。
【０１３６】
第五実施形態では、底面３０の内周側の部分に擦り傷が形成されにくくして、この部分の撥水性の低下を抑える場合に有効である。
【０１３７】
第五実施形態の便座１の製造方法は、第一実施形態〜第三実施形態の便座１の製造方法のいずれかと組み合わせることができる。すなわち、第五実施形態における底部押し治具６と、第一実施形態〜第三実施形態における座部押し治具５とを組み合わせて溶着を行うことができる。このとき、座部２は、溶着前に、第一実施形態〜第三実施形態のいずれかにおける座部押し治具５に対応する座部突出部２５（座部内突出部２５１、座部外突出部２５２）を有する。
【０１３８】
次に、第六実施形態の便座１の製造方法について、図１６に基いて説明する。なお、第六実施形態の便座１の製造方法は、第四実施形態の便座１の製造方法と大部分において同じである。このため、第四実施形態と重複する説明については、同符号を付して説明を省略する。
【０１３９】
第四実施形態では、底部３が底部内突出部３３１および底部外突出部３３２を有するものであった。これに対して、第六実施形態では、底部３が、外周端部３２から外周側に突出する底部突出部３３を有する。底部突出部３３は、すなわち底部外突出部３３２であり、第四実施形態における底部外突出部３３２と相違ないため説明を省略する。
【０１４０】
第六実施形態では、底部３は底部内突出部３３１を有しない。
【０１４１】
また、第六実施形態では、底部押し治具６が第四実施形態の底部押し治具６と相違する。
【０１４２】
第六実施形態の底部押し治具６は、底部３の装着時に底部３の底部突出部３３（底部外突出部３３２）に対応する部分に底部突出部押し部６１を有する。底部突出部押し部６１は、すなわち底部外突出部押し部６１２であり、第四実施形態における底部外突出部押し部６１２と相違ないため説明を省略する。
【０１４３】
また、第六実施形態の底部押し治具６も、第四実施形態の底部押し治具６と同様に、底面３０と間隔をあけて位置する非接触部６３を有する。ただし、第六実施形態の非接触部６３は、底面３０の底部外突出部３３２を有する外周側にのみ形成される外非接触部６３２である。この点、第四実施形態における非接触部６３は、底面３０全体に形成されるものであり、第六実施形態の非接触部６３（外非接触部６３２）と相違する。
【０１４４】
また、第六実施形態の底部押し治具６は、底部外突出部３３２を有しない内周側に、底面押し部６２を有する。底面押し部６２は、底面３０の内周側を押す内底面押し部６２２であり、底面３０と接触しない外非接触部６３２に隣接して、底面３０と接触する接触部となる。
【０１４５】
溶着を行うには、底部押し治具６に底部３が装着される。底部押し治具６にあっては、底部外突出部押し部６１２により底部外突出部３３２を押すとともに、内底面押し部６２２により底部外突出部３３２を有しない側の底面３０を押す。これにより、底部外突出部３３２を有する側の底面３０と外非接触部６３２との間に間隙７が形成される。
【０１４６】
以降は、第四実施形態と同様に、座部２の空所内に支持部４が挿入され、底部押し治具６に底部３が装着され、溶着が行われる。これにより、座部２、底部３および支持部４が一体となった成形体が形成された後、底部外突出部３３２が除去されて、便座１の完成品が形成される。
【０１４７】
第六実施形態の便座１の製造方法にあっては、溶着の際に、底部押し治具６により底面３０の外周側が押されない。完成品としての便座１の底面３０の外周側の部分に、底部押し治具６との擦り傷が形成されることが抑えられる。
【０１４８】
第六実施形態では、底面３０の外周側の部分に擦り傷が形成されにくくして、この部分の撥水性の低下を抑える場合に有効である。
【０１４９】
第六実施形態の便座１の製造方法は、第一実施形態〜第三実施形態の便座１の製造方法のいずれかと組み合わせることができる。すなわち、第六実施形態における底部押し治具６と、第一実施形態〜第三実施形態における座部押し治具５とを組み合わせて溶着を行うことができる。このとき、座部２は、溶着前に、第一実施形態〜第三実施形態のいずれかにおける座部押し治具５に対応する座部突出部２５（座部内突出部２５１、座部外突出部２５２）を有する。
【０１５０】
次に、第一実施形態〜第六実施形態の変形例について説明する。
【０１５１】
座面２１の内外方向中央部は勾配を有する直線状となっているが、座面２１の形状はこのような形状に限定されない。また、座部２の一部に下方に凸となる部分があってもよく、座部２が全体的に上方に凸となっていればよい。座部２を形成する樹脂の種類は、特に限定されない。
【０１５２】
底部３は全体的に下方に凸となっているが、底部３の形状は特に限定されず、たとえば底部３が平坦な形状をして、内周端部３１および外周端部３２が側方に向けて伸びてもよい。この場合には、底部３内に空所が形成されず、座部２内の空所のみにより便座１の内部空間１０が構成される。底部３を形成する樹脂の種類は、特に限定されない。また、底部３を形成する樹脂の種類は、座部２を形成する樹脂の種類と同じであってもよいし、異なってもよい。
【０１５３】
支持部４の支持面４１の内外方向中央部は勾配を有する直線状となっているが、支持面４１の形状はこのような形状に限定されない。また、支持部４の一部に下方に凸となる部分があってもよく、支持部４が全体的に上方に凸となっていればよい。支持部４を形成する樹脂の種類は、特に限定されない。また、支持部４を形成する樹脂の種類は、座部２を形成する樹脂の種類と同じであってもよいし異なってもよく、底部３を形成する樹脂の種類と同じであってもよいし、異なってもよい。
【０１５４】
また、便座１は支持部４を備えなくてもよい。
【０１５５】
また、座部２、底部３および支持部４は、第一実施形態〜第六実施形態においては、平面視環状をしたものであるが、Ｕ字状、Ｃ字状であってもよく、平面視形状は限定されない。
【０１５６】
また、座部突出部押し部５１（座部内突出部押し部５１１、座部外突出部押し部５１２）、座面押し部５２（外座面押し部５２１、内座面押し部５２２）、非接触部５３（内非接触部５３１、外非接触部５３２）は、座部押し治具５の周方向の一部に設けられてもよい。
【０１５７】
また、底部突出部押し部６１（底部内突出部押し部６１１、底部外突出部押し部６１２）、底面押し部６２（外底面押し部６２１、内底面押し部６２２）、非接触部６３（内非接触部６３１、外非接触部６３２）は、底部押し治具６の周方向の一部に設けられてもよい。
【０１５８】
また、第一実施形態〜第六実施形態においては、座部２の内周端部２２の下端面および外周端部２３の下端面、支持部４の内周端部４２の下端面および外周端部４３の下端面は傾斜しているが、これらの面は傾斜しなくてもよい。
【０１５９】
座部下空間１３は、全体にわたって支持部４の支持面４１と座部２の裏面２４との間に一定の間隔があいているが、間隔は一定でなくてもよい。
【０１６０】
また、ヒータ１６は、座部２の周方向の全長にわたって設けられてもよいし、周方向の一部に設けられてもよい。また、座部２に、ヒータ１６と支持面４１との接触を和らげる緩衝材が設けられてもよい。また、座部２にヒータ１６が設けられなくてもよい。
【０１６１】
また、第一実施形態または第二実施形態において、座部内突出部２５１の下面が座部内周溶着箇所２２１とならなくてもよい。また、第一実施形態または第三実施形態において、座部外突出部２５２の下面が座部外周溶着箇所２３１とならなくてもよい。また、第四実施形態または第五実施形態において、底部内突出部３３１の下面が底部内周溶着箇所３１１とならなくてもよい。また、第四実施形態または第六実施形態において、底部外突出部３３２の下面が底部外周溶着箇所３２１とならなくてもよい。
【０１６２】
以上、述べた第一実施形態〜第六実施形態およびその変形例から明らかなように、第１の態様の製造方法は、座部２と、底部３と、を備えた便座１の製造方法である。
【０１６３】
座部２は、平面視環状またはＵ字状をして、その周方向に垂直な断面において上方に凸となるものである。座部２は、上面が座面２１となり、内周端部２２の下端面が底部３に溶着される座部内周溶着箇所２２１となり、外周端部２３の下端面が底部３に溶着される座部外周溶着箇所２３１となるものである。座部２は、内周端部２２から内周側に突出する座部内突出部２５１および、外周端部２３から外周側に突出する座部外突出部２５２を有するものである。
【０１６４】
底部３は、平面視環状またはＵ字状をして、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。
【０１６５】
座部２は、振動溶着または超音波溶着の際に座部押し治具５に装着されて底部３側に向けて押されるものである。
【０１６６】
座部押し治具５は、座部２の装着時に座部２の座部内突出部２５１に対応する部分に座部内突出部押し部５１１を有するとともに座部外突出部２５２に対応する部分に座部外突出部押し部５１２を有するものである。座部押し治具５は、座面２１に対応する部分に座面２１と間隔をあけて位置する非接触部５３を有するものである。座部押し治具５は、座面２１と非接触部５３との間に間隙７が形成されるように座部内突出部押し部５１１により座部内突出部２５１を押すとともに座部外突出部押し部５１２により座部外突出部２５２を押すものである。
【０１６７】
底部３は、振動溶着または超音波溶着の際に底部押し治具６に装着されて座部２側に向けて押されるものである。
【０１６８】
座部押し治具５に座部２が装着されかつ底部押し治具６に底部３が装着される。座部内周溶着箇所２２１が底部内周溶着箇所３１１に押し付けられるとともに、座部外周溶着箇所２３１が底部外周溶着箇所３２１に押し付けられた状態で振動溶着または超音波溶着が行われる。座部内周溶着箇所２２１が底部内周溶着箇所３１１に固定されるとともに、座部外周溶着箇所２３１が底部外周溶着箇所３２１に固定される。
【０１６９】
座部内突出部２５１および座部外突出部２５２が除去される。
【０１７０】
第１の態様によれば、便座１の座面２１に、座部押し治具５との擦り傷が形成されることが抑えられ、擦り傷が形成されることによる座面２１の撥水性の低下が抑えられる。
【０１７１】
また、第２の態様の製造方法は、座部２と、底部３と、を備えた便座１の製造方法である。
【０１７２】
座部２は、平面視環状またはＵ字状をして、その周方向に垂直な断面において上方に凸となるものである。座部２は、上面が座面２１となり、内周端部２２の下端面が底部３に溶着される座部内周溶着箇所２２１となり、外周端部２３の下端面が底部３に溶着される座部外周溶着箇所２３１となるものである。座部２は、内周端部２２から内周側に突出するかまたは外周端部２３から外周側に突出する座部突出部２５を有するものである。
【０１７３】
底部３は、平面視環状またはＵ字状をして、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。
【０１７４】
座部２は、振動溶着または超音波溶着の際に座部押し治具５に装着されて底部３側に向けて押されるものである。
【０１７５】
座部押し治具５は、座部２の装着時に座部２の座部突出部２５に対応する部分に座部突出部押し部５１を有するものである。座部押し治具５は、座面２１の前記内周側と前記外周側のうち座部突出部２５を有する側に対応する部分に座面２１と間隔をあけて位置する非接触部５３を有するものである。座部押し治具５は、座部突出部２５を有しない側に対応する部分に座面押し部５２を有するものである。座部押し治具５は、座部突出部２５を有する側の座面２１と非接触部５３との間に間隙７が形成されるように座部突出部押し部５１により座部突出部２５を押すとともに、座面押し部５２により座部突出部２５を有しない側の座面２１を押すものである。
【０１７６】
底部３は、振動溶着または超音波溶着の際に底部押し治具６に装着されて座部２側に向けて押されるものである。
【０１７７】
座部押し治具５に座部２が装着されかつ底部押し治具６に底部３が装着される。座部内周溶着箇所２２１が底部内周溶着箇所３１１に押し付けられるとともに、座部外周溶着箇所２３１が底部外周溶着箇所３２１に押し付けられた状態で振動溶着または超音波溶着が行われる。座部内周溶着箇所２２１が底部内周溶着箇所３１１に固定されるとともに、座部外周溶着箇所２３１が底部外周溶着箇所３２１に固定される。
【０１７８】
座部突出部２５が除去される。
【０１７９】
第２の態様によれば、便座１の座面２１の内周側または外周側の部分に、座部押し治具５との擦り傷が形成されることが抑えられ、この部分の撥水性の低下が抑えられる。
【０１８０】
第３の態様では、第１の態様または第２の態様との組み合わせにより実現される。第３の態様では、座部内突出部押し部５１１、座部外突出部押し部５１２、非接触部５３、座部突出部押し部５１または座面押し部５２が、座部押し治具５の平面視における周方向の一部にのみ形成される。
【０１８１】
第３の態様によれば、便座１の座面２１の必要な部位のみにおいて、座部押し治具５との擦り傷が形成されることが抑えられる。
【０１８２】
また、第４の態様の製造方法は、座部２と、底部３と、を備えた便座１の製造方法である。
【０１８３】
座部２は、平面視環状またはＵ字状をして、その周方向に垂直な断面において上方に凸となるものである。座部２は、上面が座面２１となり、内周端部２２の下端面が底部３に溶着される座部内周溶着箇所２２１となり、外周端部２３の下端面が底部３に溶着される座部外周溶着箇所２３１となるものである。
【０１８４】
底部３は、平面視環状またはＵ字状をして、下面が便座１の底面３０となるものである。底部３は、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。底部３は、内周端部３１から内周側に突出する底部内突出部３３１および、外周端部３２から外周側に突出する底部外突出部３３２を有するものである。
【０１８５】
座部２は、振動溶着または超音波溶着の際に座部押し治具５に装着されて底部３側に向けて押されるものである。
【０１８６】
底部３は、振動溶着または超音波溶着の際に底部押し治具６に装着されて座部２側に向けて押されるものである。
【０１８７】
底部押し治具６は、底部３の装着時に底部３の底部内突出部３３１に対応する部分に底部内突出部押し部６１１を有するとともに底部外突出部３３２に対応する部分に底部外突出部押し部６１２を有するものである。底部押し治具６は、底面３０に対応する部分に底面３０と間隔をあけて位置する非接触部６３を有するものである。底部押し治具６は、底面３０と非接触部６３との間に間隙７が形成されるように底部内突出部押し部６１１により底部内突出部３３１を押すとともに底部外突出部押し部６１２により底部外突出部３３２を押すものである。
【０１８８】
座部押し治具５に座部２が装着されかつ底部押し治具６に底部３が装着される。座部内周溶着箇所２２１が底部内周溶着箇所３１１に押し付けられるとともに、座部外周溶着箇所２３１が底部外周溶着箇所３２１に押し付けられた状態で振動溶着または超音波溶着が行われる。座部内周溶着箇所２２１が底部内周溶着箇所３１１に固定されるとともに、座部外周溶着箇所２３１が底部外周溶着箇所３２１に固定される。
【０１８９】
底部内突出部３３１および底部外突出部３３２が除去される。
【０１９０】
第４の態様によれば、便座１の底面３０に、底部押し治具６との擦り傷が形成されることが抑えられ、擦り傷が形成されることによる底面３０の撥水性の低下が抑えられる。
【０１９１】
また、第５の態様の製造方法は、座部２と、底部３と、を備えた便座１の製造方法である。
【０１９２】
座部２は、平面視環状またはＵ字状をして、その周方向に垂直な断面において上方に凸となるものである。座部２は、上面が座面２１となり、内周端部２２の下端面が底部３に溶着される座部内周溶着箇所２２１となり、外周端部２３の下端面が底部３に溶着される座部外周溶着箇所２３１となるものである。
【０１９３】
底部３は、平面視環状またはＵ字状をして、下面が便座１の底面３０となるものである。底部３は、内周端部３１の上面に、座部内周溶着箇所２２１が溶着される底部内周溶着箇所３１１を有し、外周端部３２の上面に、座部外周溶着箇所２３１が溶着される底部外周溶着箇所３２１を有するものである。底部３は、内周端部３１から内周側に突出するかまたは外周端部３２から外周側に突出する底部突出部３３を有するものである。
【０１９４】
座部２は、振動溶着または超音波溶着の際に座部押し治具５に装着されて底部３側に向けて押されるものである。
【０１９５】
底部３は、振動溶着または超音波溶着の際に底部押し治具６に装着されて座部２側に向けて押されるものである。
【０１９６】
底部押し治具６は、底部３の装着時に底部３の底部突出部３３に対応する部分に底部突出部押し部６１を有するものである。底部押し治具６は、底面３０の内周側と外周側のうち底部突出部３３を有する側に対応する部分に底面３０と間隔をあけて位置する非接触部６３を有すものである。底部押し治具６は、底部突出部３３を有しない側に対応する部分に底面押し部６２を有すものである。底部押し治具６は、底部突出部３３を有する側の底面３０と非接触部６３との間に間隙７が形成されるように底部突出部押し部６１により底部突出部３３を押すとともに、底面押し部６２により底部突出部３３を有しない側の底面３０を押すものである。
【０１９７】
座部押し治具５に座部２が装着されかつ底部押し治具６に底部３が装着される。座部内周溶着箇所２２１が底部内周溶着箇所３１１に押し付けられるとともに、座部外周溶着箇所２３１が底部外周溶着箇所３２１に押し付けられた状態で振動溶着または超音波溶着が行われる。座部内周溶着箇所２２１が底部内周溶着箇所３１１に固定されるとともに、座部外周溶着箇所２３１が底部外周溶着箇所３２１に固定される。
【０１９８】
底部突出部３３が除去される。
【０１９９】
第５の態様によれば、便座１の底面３０の内周側または外周側の部分に、底部押し治具６との擦り傷が形成されることが抑えられ、この部分の撥水性の低下が抑えられる。
【０２００】
第６の態様では、第４の態様または第５の態様との組み合わせにより実現される。第６の態様では、底部内突出部押し部６１１、底部外突出部押し部６１２、非接触部６３、底部突出部押し部６１または底面押し部６２が、底部押し治具６の平面視における周方向の一部にのみ形成される。
【０２０１】
第６の態様によれば、便座１の底面３０の必要な部位のみにおいて、底部押し治具６との擦り傷が形成されることが抑えられ。
【符号の説明】
【０２０２】
１      便座
２      座部
２１    座面
２２    内周端部
２２１  座部内周溶着箇所
２３    外周端部
２３１  座部外周溶着箇所
２５    座部突出部
２５１  座部内突出部
２５２  座部外突出部
３      底部
３０    底面
３１    内周端部
３１１  底部内周溶着箇所
３２    外周端部
３２１  底部外周溶着箇所
３３    底部突出部
３３１  底部内突出部
３３２  底部外突出部
５      座部押し治具
５１    座部突出部押し部
５１１  座部内突出部押し部
５１２  座部外突出部押し部
５２    座面押し部
５３    非接触部
６      底部押し治具
６１    底部突出部押し部
６１１  底部内突出部押し部
６１２  底部外突出部押し部
６２    底面押し部
６３    非接触部
７      間隙
【図１】
2018082817.tif 000003
【図２】
2018082817.tif 000004
【図３】
2018082817.tif 000005
【図４】
2018082817.tif 000006
【図５】
2018082817.tif 000007
【図６】
2018082817.tif 000008
【図７】
2018082817.tif 000009
【図８】
2018082817.tif 000010
【図９】
2018082817.tif 000011
【図１０】
2018082817.tif 000012
【図１１】
2018082817.tif 000013
【図１２】
2018082817.tif 000014
【図１３】
2018082817.tif 000015
【図１４】
2018082817.tif 000016
【図１５】
2018082817.tif 000017
【図１６】
2018082817.tif 000018